(57)【要約】【課題】  取り付け作業が容易な構成とするとともに、取り付けるファン装置のサイズに応じて別部品を用意せずに済み、取り付け作業が容易な取付部材およびこれを用いたファン装置取付構造を提供する。【解決手段】  取付部材は、樹脂材料または弾性材料から形成される略棒状の基体と、基体に設けられる第１保持溝を含む第１保持部と、基体に設けられる第２保持溝を含む第２保持部と、を有し、第１保持部が、第１保持溝を規定するフランジを含み、第２保持部が、フランジとの間に第２保持溝を規定する複数のストッパーと、を含み、複数のストッパーの一つである第１ストッパーが、フランジと第２保持部の末端との中間位置に設けられ、複数のストッパーの他のいずれもが、フランジと第１ストッパーとの間に設けられている。【選択図】  図１
2011179586.tif 000002
【特許請求の範囲】
【請求項１】
樹脂材料または弾性材料から形成される略棒状の基体と、該基体に設けられる第１保持溝を含む第１保持部と、該基体に設けられる第２保持溝を含む第２保持部と、を有し、
該第１保持部が、該第１保持溝を規定するフランジを含み、該第２保持部が、該フランジとの間に該第２保持溝を規定する複数のストッパーと、を含み、
該複数のストッパーの一つである第１ストッパーが、該フランジと該第２保持部の末端との中間位置に設けられ、該複数のストッパーの他のいずれもが、該フランジと該第１ストッパーとの間に設けられている、
取付部材。
【請求項２】
樹脂材料または弾性材料から形成される略棒状の基体と、該基体の一方端に形成される第１摘み突起部と、該基体の他方端に形成される第２摘み突起部と、該第１摘み突起部に隣接して設けられる第１保持部と、該第１保持部および該第２摘み突起部との間に設けられる第２保持部と、を有し、
該第１保持部が、第１保持溝を規定する該第１摘み突起部および該第２摘み突起部よりも直径が大きいフランジを含み、該第２保持部が、該フランジとの間に第２保持溝を規定するファン装置の取付孔よりも直径が大きい複数のストッパーと、を含み、
該複数のストッパーの一つである第１ストッパーが、該第２保持部の全長を略二等分する位置である中間位置に設けられ、該複数のストッパーの他のいずれもが、該フランジと該第１ストッパーとの間に設けられている、
取付部材。
【請求項３】
前記第２保持溝を規定する前記フランジと前記複数のストッパーのいずれかとの離隔距離Ｈが、複数のファン装置のいずれかのフレーム厚みに対応して段階的に大きくなるように構成されている、
請求項１または２に記載の取付部材。
【請求項４】
前記第２保持溝を規定する前記複数のストッパーのそれぞれの直径が、前記第１ストッパーから前記フランジに向かうにつれて段階的に小さくなるように構成されている、
請求項1から３いずれかに記載の取付部材。
【請求項５】
請求項１から４いずれかに記載の前記取付部材と、
該取付部材の前記第１保持部に連結する基板またはシャーシと、
該取付部材の前記第２保持部に連結するファン装置と、
を含む、ファン装置取付構造。
【発明の詳細な説明】
【技術分野】
【０００１】
本発明は、映像音響機器、または、パーソナルコンピューター等の電子計算機の筐体内部を冷却するファン装置を、プリント基板（以下、ＰＣＢ［プリントサーキットボード］と略する。）、または、映像音響機器又は電子計算機の筐体に取り付けるのに用いる取付部材と、この取付部材を用いるファン装置取付構造に関する。
【背景技術】
【０００２】
映像音響機器又は電子計算機の筐体内部には、発熱する回路部品が載置されるプリント基板（ＰＣＢ）、発熱するトランス等の電源部品、等の他に、これらで発生した熱を冷却するファン装置が取り付けられる場合がある。ファン装置は、ＰＣＢに、あるいは、映像音響機器又は電子計算機の筐体を構成するシャーシ、ブラケット等に、樹脂、あるいは、弾性材料等で形成される取付部材により取り付けられる。ファン装置取付構造に用いる取付部材には、ファン装置のサイズ、あるいは、ファン装置のフレーム部分の形態により様々なタイプのものがある。特に、ファン装置取付構造では、取り付け作業が容易な構成とするとともに、取り付けるファン装置のサイズに応じて別部品を用意せずに済み、取り付け作業が容易な取付部材を用いるようにするのが好ましい。
【０００３】
従来には、色選別手段としてアパーチャグリルをスクリーンの内側に配するようにしたＣＲＴを有する表示装置において、キャビネット内を冷却するための冷却用ファンを設け、前記冷却用ファンのフレームをファンベースに取付けるとともに、前記キャビネットの所定の位置に送風孔を形成し、前記送風孔に前記冷却用ファンが臨むように前記ファンベースを防振支持手段を介してキャビネット内のシャーシに取付けるようにしたことを特徴とする表示装置がある。（特許文献１）。例えば、防振支持手段は、円柱状のブチルゴムからなる防振ゴム部材であって、その両端にそれぞれねじの座を接着して結合するようにしており、ねじに螺合するナットによってファンベースとシャーシとに固定されている。
【０００４】
また、従来には、弾性材料からなり、第１の部材の固定用穴及び第２の部材の固定用穴とそれぞれ嵌合する２つの溝を有し、少なくとも挿入する側は、挿入方向に対して略垂直方向の断面が小さくなるように成形された固定部材がある（特許文献２）。この固定部材の上記弾性材料は、硬度２０〜５０のゴム材料からなる、あるいは、上記第１の部材は、冷却ファンを備えるファンユニットであり、上記第２の部材は、当該ファンユニットを取り付ける取り付け部材である。また、固定部材は、上記第１の部材を上記第２の部材に取り付けた後、不要な部分が切断され、上記第１の部材を上記第２の部材に取り付けた後、不要な部分が切断されて任意の加工が施される。
【先行技術文献】
【特許文献】
【０００５】
【特許文献１】実用新案登録第２５５２６１０号公報  （第１図〜第４図）
【特許文献２】特開２００９−２５２８４３号公報  （第１図〜第７図）
【０００６】
しかしながら、ファン装置取付構造に用いる取付部材を選択する際には、ファン装置のサイズ、または、ファン装置のフレームに設けられる取付孔径、に応じた取付部材を様々に用意していては、取付部材の種類が多くなるという問題があり、また、適切な取付部材を選択しなければファン装置取付の作業性が悪くなるという問題がある。
【発明の概要】
【発明が解決しようとする課題】
【０００７】
本発明は、上記の従来技術が有する問題を解決するためになされたものであり、その目的は、取付部材およびこれを用いたファン装置取付構造に関し、取り付け作業が容易な構成とするとともに、取り付けるファン装置のサイズに応じて別部品を用意せずに済み、取り付け作業が容易な取付部材を提供することにある。
【課題を解決するための手段】
【０００８】
本発明の取付部材は、樹脂材料または弾性材料から形成される略棒状の基体と、基体に設けられる第１保持溝を含む第１保持部と、基体に設けられる第２保持溝を含む第２保持部と、を有し、第１保持部が、第１保持溝を規定するフランジを含み、第２保持部が、フランジとの間に第２保持溝を規定する複数のストッパーと、を含み、複数のストッパーの一つである第１ストッパーが、フランジと第２保持部の末端との中間位置に設けられ、複数のストッパーの他のいずれもが、フランジと第１ストッパーとの間に設けられている。
【０００９】
また、本発明の取付部材は、樹脂材料または弾性材料から形成される略棒状の基体と、基体の一方端に形成される第１摘み突起部と、基体の他方端に形成される第２摘み突起部と、第１摘み突起部に隣接して設けられる第１保持部と、第１保持部および第２摘み突起部との間に設けられる第２保持部と、を有し、第１保持部が、第１保持溝を規定する第１摘み突起部および第２摘み突起部よりも直径が大きいフランジを含み、第２保持部が、フランジとの間に第２保持溝を規定するファン装置の取付孔よりも直径が大きい複数のストッパーと、を含み、複数のストッパーの一つである第１ストッパーが、第２保持部の全長を略二等分する位置である中間位置に設けられ、複数のストッパーの他のいずれもが、フランジと第１ストッパーとの間に設けられている。
【００１０】
好ましくは、本発明の取付部材は、第２保持溝を規定するフランジと複数のストッパーのいずれかとの離隔距離Ｈが、複数のファン装置のいずれかのフレーム厚みに対応して段階的に大きくなるように構成されている。
【００１１】
また、本発明の取付部材は、第２保持溝を規定する複数のストッパーのそれぞれの直径が、第１ストッパーからフランジに向かうにつれて段階的に小さくなるように構成されている。
【００１２】
また、好ましくは、本発明のファン装置取付構造は、上記の取付部材と、取付部材の第１保持部に連結する基板またはシャーシと、取付部材の第２保持部に連結するファン装置と、を含む。
【００１３】
以下、本発明の作用について説明する。
【００１４】
本発明の取付部材は、樹脂材料または弾性材料から形成される略棒状の基体と、基体に設けられる第１保持溝を含む第１保持部と、基体に設けられる第２保持溝を含む第２保持部と、を有し、好ましくは、基体の一方端に形成される第１摘み突起部と、基体の他方端に形成される第２摘み突起部と、を更に有していている。第１保持部は、第１保持溝を規定するフランジを含み、このフランジは、基体の断面、第１摘み突起部および第２摘み突起部の断面よりも直径が大きくされている。第２保持部は、フランジとの間に第２保持溝を規定する複数のストッパーと、を含み、これらのストッパーは、ファン装置の取付孔よりも直径が大きくされている。したがって、本発明の取付部材は、第１保持部に連結するＰＣＢまたはシャーシと、第２保持部に連結するファン装置と、を含むファン装置取付構造を構成することができる。
【００１５】
この取付部材は、第２保持部に異なるサイズのファン装置に応じた複数のストッパーを有している。ただし、複数のストッパーの一つである第１ストッパーは、第２保持溝を規定するフランジと第２保持部の末端との中間位置に設けられ、複数のストッパーの他のいずれもが、フランジと第１ストッパーとの間に設けられている。つまり、最もフレーム厚みの厚いファン装置に対応する第１ストッパーが、第２保持部の全長を略二等分する位置である中間位置に設けられ、他のサイズのファン装置に対応する複数のストッパーの他のいずれもが、フランジと第１ストッパーとの間に設けられている。取付部材は、第２保持溝を規定するフランジと複数のストッパーのいずれかとの離隔距離Ｈは、複数のファン装置のいずれかのフレーム厚みに対応して段階的（例えば、５ｍｍ、１０ｍｍ、１５ｍｍ、２０ｍｍ、２５ｍｍ。）に大きくなるように構成されている。
【００１６】
この取付部材を用いるファン装置の取付方法を説明する。取付部材の第２保持部をファン装置のフレームの取付孔に挿入すると、取付孔よりも直径の小さい基体（第２保持部）は取付孔を通過して、第１ストッパーがフレームの一方側から取付孔に接する。さらに強く取付部材を強く引っ張ると、第１ストッパーが変形してフレームの取付孔を通過して、フレームの一方側から次のストッパーに接し、最終的には第１保持溝を規定するフランジに接する。このとき、ファン装置のフレームの他方側は、他の対応するストッパーのいずれかに接している。したがって、ファン装置のフレームの厚みに対応するいずれかのストッパーが、フランジとの間に第２保持溝を規定するので、本発明の取付部材は、取り付けるファン装置のサイズに応じて別部品を用意せずに済むという利点を有する。
【００１７】
この取付部材は、最もフレーム厚みの厚いファン装置に対応する第１ストッパーが第２保持部の全長を略二等分する位置である中間位置に設けられているので、その第１ストッパーがフレームの一方側から取付孔に接するまで取付部材をフレームの取付孔に挿入すると、取付部材の先端（第１摘み突起部または第２摘み突起部）が、作業者にとって引っ張り易い程度にフレームの他方側から突出する。すなわち、ファン装置のフレームへの挿入時には、最初に取付部材の第１ストッパーが、その先端（第１摘み突起部または第２摘み突起部）を摘みやすいようにファン装置との間で仮固定することになるので、作業者は容易にファン装置を取り付けることができる。
【００１８】
あるいは、第２保持溝を規定する複数のストッパーのそれぞれの直径が、第１ストッパーからフランジに向かうにつれて段階的に小さくなるように構成されていれば、さらに様々なサイズのファン装置に対応可能な取付部材にすることができる。サイズの小さなファン装置ほどフレームの取付孔の直径が小さく、サイズの大きなファン装置ほどフレームの取付孔の直径が大きくなる傾向があるので、適切な大きさの直径を有するストッパーを利用してファン装置を取り付ける際に、他のストッパーが邪魔になることがなくなる。したがって、取り付けるファン装置のサイズに応じて別の取付部材を用意せずに済む。
【発明の効果】
【００１９】
本発明の取付部材およびこれを用いたファン装置取付構造は、取り付けるファン装置のサイズに応じて別部品を用意せずに済み、取り付け作業が容易な取付部材およびこれを用いたファン装置取付構造を実現できる。
【図面の簡単な説明】
【００２０】
【図１】本発明の好ましい実施形態による取付部材１０について説明する図である。（実施例１）
【図２】本発明の好ましい実施形態による取付部材１０を用いたファン装置取付構造１を説明する図である。（実施例１）
【図３】本発明の好ましい実施形態による取付部材１０を用いるファン装置３の取付方法を説明する図である。（実施例１）
【図４】本発明の好ましい実施形態による取付部材１０を用いるファン装置３の取付方法を説明する図である。（実施例１）
【図５】本発明の好ましい実施形態による取付部材１０を用いる他のファン装置３Ａを用いたファン装置取付構造１Ａを説明する図である。（実施例１）
【発明を実施するための形態】
【００２１】
以下、本発明の好ましい実施形態による取付部材およびこれを用いたファン装置取付構造について説明するが、本発明はこれらの実施形態には限定されない。
【実施例１】
【００２２】
図１は、本発明の好ましい実施形態による取付部材１０について説明する断面図である。具体的には、図１（ａ）は、取付部材１０の斜視図であり、図１（ｂ）は、取付部材１０の平面図である。また、図２は、取付部材１０を用いたファン装置取付構造１を説明する図である。また、図３および図４は、取付部材１０を用いるファン装置３の取付方法を説明する図である。なお、図２〜図４では、図を分かりやすくするために、一つの取付部材１０のみを図示して、他の取付部材の図示を省略している。ファン装置取付構造１では、取付部材１０を少なくとも一つ用いればよいが、２つ以上の複数用いることが望ましい。
【００２３】
本実施例の取付部材１０は、（図示しない）映像音響機器の筐体の内部において、筐体を構成する（図示しない）シャーシに取り付けられるブラケット２に、ファン装置３を取り付ける部材である。この取付部材１０は、図示するとおりの弾性材料であるシリコンゴムから形成される略棒状の基体を有している。なお、本実施例の場合には、取付部材１０は、全長が約７０ｍｍで、最も細い部分での直径が約２．５ｍｍで、最も太い部分での直径が約１１ｍｍである。取付部材１０は、金型内にゴム材料（または、樹脂材料、あるいは、他の弾性材料）を直圧成形することにより形成される。取付部材１０は、弾性を有しているので、取付の際に一部が変形してブラケット２並びにファン装置３を把持して、取り付けることができる。なお、取付部材１０は、他の射出成形などの方法で形成してもよい。
【００２４】
取付部材１０は、基体の一方端に形成される摘み突起部１１と、基体の他方端に形成される摘み突起部１２と、を有していている。摘み突起部１１および摘み突起部１２は、直径がそれぞれ約３ｍｍと、約４ｍｍであり、取付部材１０を摘んで作業者が操作しやすくなるように、先端側を太くして突起部が形成されている。さらに、取付部材１０は、摘み突起部１１に続いて形成される第１保持部１３と、摘み突起部１２と第１保持部１３との間に続いて形成される第２保持部１４と、を有する。第１保持部１３は、ブラケット２に連結する部分であり、第２保持部１４は、ファン装置３に連結する部分である。第１保持部１３と第２保持部１４との間には、厚みが約２ｍｍで、直径が最も大きいフランジ１５が形成されている。
【００２５】
ブラケット２は、厚みが約１ｍｍの鉄板を折り曲げて形成した基体２０の取付面２１に、ファン装置３で送風する風が通過する通気孔２２が規定されている。ブラケット２は、通気孔２２に連通する４箇所に取付部材１０の第１保持部１３を取り付けるための４箇所の切欠２３が規定されている。また、取付部材１０の第１保持部１３は、摘み突起部１１から直径が次第に大きくなるように形成されるフランジ１６と、フランジ１５および１６により規定される第１保持溝１７と、を含んでいる。フランジ１６の直径は約７ｍｍであり、第１保持溝１７の幅は約１ｍｍである。したがって、取付部材１０は、図２に図示するように、その第１保持部１３が、ブラケット２に固定される。
【００２６】
一方、ファン装置３は、樹脂で形成されるフレーム３０の内部に、（図示しない）モーターおよび回転羽根を含むファン装置である。ファン装置３は、フレーム３０の外形寸法が約６０ｍｍ×約６０ｍｍの四角形で、フレーム３０の厚みｈ１が約２５ｍｍであり、その四隅に直径が約４．３〜４．５ｍｍの貫通孔３１を規定する筒部３２を有している。貫通孔３１には、図２〜図４に図示するように、取付部材１０の第２保持部１４が挿入されて、その結果、ファン装置３は取付部材１０を介してブラケット２に固定される。
【００２７】
ファン装置３を取り付ける部材である取付部材１０は、複数のファン装置３のフレーム厚みに対応する。本実施例の取付部材１０の第２保持部１４は、フランジ１５との間に第２保持溝１９を規定する複数のストッパー１８（１８ａ、１８ｂ、１８ｃ、１８ｄ）と、を含む。第２保持部１４の直径が約２．５〜４．０ｍｍであるのに対して、いずれのストッパー１８は、その直径が約６ｍｍに大きくなるフランジを形成する。取付部材１０は、ファン装置３のフレーム３０の厚みが、例えば、ｈ１＝２５ｍｍ、ｈ２＝１５ｍｍ、ｈ３＝１０ｍｍ、ｈ４＝５ｍｍのいずれかであっても、ファン装置３を取り付けることができるように構成されている。つまり、取付部材１０は、第２保持溝１９を規定するフランジ１５と複数のストッパー１８（ここでは、１８ｄ、１８ｃ、１８ｂ、１８ａ）のいずれかとの離隔距離Ｈが、複数のファン装置３のいずれかのフレーム３０の厚みに対応して段階的に大きくなる（Ｈ４＝５ｍｍ、Ｈ３＝１０ｍｍ、Ｈ２＝１５ｍｍ、Ｈ１＝２５ｍｍ。）ように構成されている。
【００２８】
このように、最もフレーム３０の厚みが厚いファン装置３（ｈ１＝２５ｍｍ）に対応する第１ストッパー１８ａは、第２保持部１４の全長（Ｈ０＝５５ｍｍ）を略二等分する位置である中間位置に設けられている。この中間位置とは、第２保持部１４の全長Ｈ０を略二等分する位置であり、また、他のストッパー１８ｂ、１８ｃ、１８ｄは、フランジ１５と第１ストッパー１８ａとの間に設けられている。したがって、第１ストッパー１８ａと摘み突起部１２との間には、他のストッパーは設けられていない。
【００２９】
なお、取付部材１０の第２保持部１４は、フランジ１５と、最もフレーム厚みの薄いファン装置（ｈ４＝５ｍｍ）に対応するストッパー１８ｄと、の間（Ｈ４＝５ｍｍ）において、その基体の断面が四角形になるように形成されている。この四角形の断面の一辺は約３．７ｍｍであり、ファン装置３のフレーム３０の丸形状の貫通孔３１に対して四角柱の芯形状にすることで、四角柱の角がストッパーとしての効果を高めるようにしている。
【００３０】
図２〜図４にしたがって、この取付部材１０を用いてファン装置３をブラケット２に取り付ける取付方法を説明する。最初に、図２に示すように、取付部材１０の第１保持部１３の第１保持溝１７に、ブラケット２の切欠２３が係合するようにして、取付部材１０とブラケット２とを連結する。ブラケット２の切欠２３は、通気孔２２に連通するものであってもよく、また、基体２０の取付面２１に設けられる独立した貫通孔であってもよい。取付部材１０の第１保持部１３に近い先端には、摘み突起部１１が形成されているので、作業者は容易にこれを指で摘んで取付部材１０の基体を引っ張ることができるので、取り付け作業を進めることができる。
【００３１】
次に、図３に示すように、作業者は、取付部材１０の第２保持部１４をファン装置３のフレーム３０の取付孔３１に挿入する。第２保持部１４の基体において、フレーム３０の取付孔３１よりも直径の小さい部分は、取付孔３１を通過する。その結果、第２保持部１４の中間位置にある第１ストッパー１８ａが、最初にファン装置３のフレーム３０の一方側から取付孔３１に接する。このとき、第１ストッパー１８ａは、第２保持部１４の中間位置に設けられているので、図３に図示するように、取付部材１０の摘み突起部１２が、ファン装置３のフレーム３０の他方側の取付孔３１から突出する。したがって、作業者は、突出した摘み突起部１２を容易に摘むことができるので、取付部材１０を操作しやすくなり、ファン装置３の固定作業の労力を軽減できる。
【００３２】
つまり、作業者は、ファン装置３のフレーム３０を更にブラケット２の側へ移動させるのに、取付部材１０の摘み突起部１２を強く引っ張ることができる。取付部材１０をファン装置３のフレーム３０へ挿入する作業時には、最初に取付部材１０の第１ストッパー１８ａが、その先端の摘み突起部１２を摘みやすいようにファン装置３との間で仮固定することになるので、作業者は容易にファン装置３をブラケット２に対して取り付けることができる。
【００３３】
続いて、作業者は、取付部材１０の摘み突起部１２を強く引っ張った状態で、ファン装置３のフレーム３０を移動させると、第１ストッパー１８ａが押しつぶされるように変形してフレーム３０の取付孔３１を通過し、筒部３２の内部に収容される。次に、ファン装置３のフレーム３０は、次のストッパー１８ｂに接して止まることになる。さらに作業者は、取付部材１０の摘み突起部１２を強く引っ張った状態で、ファン装置３のフレーム３０を移動させると、ストッパー１８ｂが押しつぶされるように変形してフレーム３０の取付孔３１を通過し、筒部３２の内部に収容される。次に、ファン装置３のフレーム３０は、次のストッパー１８ｃに接して止まることになる。
【００３４】
作業者は、次のストッパー１８ｃおよび１８ｄに対しても同様に作業していくと、ファン装置３のフレーム３０の一端側は、最終的にはフランジ１５に接して止まる。このとき、ファン装置３のフレーム３０の他方側は、図４に図示するように、フレームの厚み（ｈ１＝２５ｍｍ）対応する第１ストッパー１８ａに接することになる。なぜなら、第１ストッパー１８ａは、フランジ１５との間に第２保持溝１９（離隔距離Ｈ１＝２５ｍｍ）を規定するように、取付部材１０の第２保持部１４の中間位置に配置されているからである。フランジ１５と第１ストッパー１８ａとを有する取付部材１０は、対応するフレーム厚みを有するファン装置３をブラケット２に固定するファン装置取付構造１を実現することができる。
【００３５】
なお、取付部材１０の第２保持部１４の他のストッパー１８ｂ、１８ｃ、１８ｄは、押しつぶされるように変形してフレーム３０の筒部３２の内部に収容される。本実施例の場合には、フランジを形成する第１ストッパー１８ａの直径と、他のストッパー１８ｂ、１８ｃ、１８ｄのそれぞれの直径は同一である。しかし、第１ストッパー１８ａからフランジに向かうにつれて、他のストッパー１８ｂ、１８ｃ、１８ｄのそれぞれの直径が段階的に小さくなるように構成してもよい。フレーム３０のサイズの小さなファン装置３ほどフレーム３０の取付孔３１の直径が小さく、フレーム３０のサイズの大きなファン装置３ほどフレーム３０の取付孔３１の直径が大きくなる傾向があるので、適切な大きさの直径を有するストッパー１８を利用してファン装置３を取り付ける際に、他のストッパー１８が邪魔になることがなくなる。
【００３６】
図５は、本実施例の取付部材１０を用いる他のファン装置３Ａを用いたファン装置取付構造１Ａを説明する図である。ファン装置３Ａは、樹脂のフレーム３０の外形寸法が約５０ｍｍ×約５０ｍｍの四角形で、フレーム３０の厚みｈ１が約１０ｍｍである。したがって、共通する部分には共通の番号を付して、説明を省略する。
【００３７】
取付部材１０は、他のファン装置３Ａのフレーム３０の厚み（ｈ３＝１０ｍｍ）に対応する他のストッパー１８ｃを備えている。ストッパー１８ｃは、第２保持溝１９を規定する第２保持部１４の中間位置に配置されている第１ストッパー１８ａと、フランジ１５との間に設けられている。ストッパー１８ｃは、フランジ１５との間に離隔距離Ｈ３＝１０ｍｍの第２保持溝１９を規定する。
【００３８】
その結果、取付部材１０は、対応する他のフレーム厚みを有するファン装置３Ａをブラケット２に固定するファン装置取付構造１Ａを実現することがでる。本実施例の取付部材１０では、下記の表のような標準的なファン装置３、または、３Ａに対応することができるので、取り付けるファン装置のサイズに応じて別部品を用意せずに済むという利点を有する。取付部材１０を共通部品化することによって構成部品が少なくなれば、さらにコスト低減が可能になる。
【００３９】
【表１】
2011179586.tif 000003
【００４０】
なお、本発明は上記実施例に限定されない。取付部材１０の形状は、基体に設けられる第１保持溝を含む第１保持部と、基体に設けられる第２保持溝を含む第２保持部と、を有し、第１保持部が、第１保持溝を規定するフランジを含み、第２保持部が、フランジとの間に第２保持溝を規定する複数のストッパーと、を含み、複数のストッパーの一つである第１ストッパーが、フランジと第２保持部の末端との中間位置に設けられ、複数のストッパーの他のいずれもが、フランジと第１ストッパーとの間に設けられているものであれば、適宜変更可能である。
【００４１】
また、取付部材１０を用いるファン装置取付構造１は、図示するようなＡＶレシーバー、あるいは、ディスクプレーヤー等の映像音響機器、または、パーソナルコンピューター等の電子計算機のファン取付構造に限られない。また、上記の実施例におけるファン取付構造１では、図示するように、ファン装置３のフレーム３０の厚みによっては、取付部材１０の第２保持部１４が、ファン装置３のフレーム３０から突出して取り付けられることになる。したがって、この突出する第２保持部１４は、取り付け後に切断しても良い。
【産業上の利用可能性】
【００４２】
本発明の取付部材およびこれを用いたファン装置取付構造は、映像音響機器又は電子計算機のみならず、ファン装置の取付を要する発熱する電源などを含む機器にも適用が可能である。
【符号の説明】
【００４３】
１、１Ａ      ファン装置取付構造
２            ブラケット
２０          基体
２１          取付面
２２          通気孔
２３          切欠
３            ファン装置
３０          フレーム
３１          取付孔
３２          筒部
１０          取付部材
１１、１２    摘み突起部
１３          第１保持部
１４          ファン保持部
１５、１６    フランジ
１７          第１保持溝
１８、１８ａ、１８ｂ、１８ｃ、１８ｄ  ストッパー
１９          第２保持溝
【図１】
2011179586.tif 000004
【図２】
2011179586.tif 000005
【図３】
2011179586.tif 000006
【図４】
2011179586.tif 000007
【図５】
2011179586.tif 000008